(57)【特許請求の範囲】
【請求項１】
箱体の内部を、夫々減圧自在な第１区画、第２区画及び第３区画に分け、前記第２区画には、長筒状で、回転自在な、内側に螺旋溝を設けた坩堝を有し、両端に開閉自在な扉を設けた減圧無酸素熱分解処理機を設置し、
被処理物は、前記第１区画、第２区画及び第３区画内を順次移送されて処理され、前記各区画には前記移送路を開閉する扉を夫々設けたユニット式減圧無酸素熱分解処理装置において、
前記第１区画、第２区画及び第３区画内の各扉を夫々閉じて前記第２区画を減圧し、前記第１区画の被処理物投入口の扉を開けて当該第１区画に設けた受入ホッパ内に外部から被処理物を投入し、当該受入ホッパ内に被処理物を圧縮手段により圧縮充填し、前記被処理物投入口の扉を閉じて当該第１区画を減圧し、前記第２区画の内部投入口の扉を開けると共に前記受入ホッパ内の被処理物を当該第２区画に設けた投入タンク内に移送し、
前記投入タンク内に被処理物を圧縮手段により圧縮充填して、前記第２区画の内部投入口の扉を閉じ、前記減圧無酸素熱分解処理機の一方の扉を開くと共に前記投入タンク内の被処理物を前記減圧無酸素熱分解処理機内に移送し、その後、前記減圧無酸素熱分解処理機の一方の扉を閉じ、
当該減圧無酸素熱分解処理機内の被処理物を減圧無酸素状態で熱分解処理し、当該被処理物を、回転する減圧無酸素熱分解処理機内の螺旋溝によって移動させて当該減圧無酸素熱分解処理機の他方の扉を開放して当該第２区画に設けた排出タンク内に移送し、当該排出タンク内に被処理物を圧縮手段により圧縮充填し、前記減圧無酸素熱分解処理機の他方の扉を閉じ、前記第３区画を減圧し、当該第３区画の搬出口の扉を開けて前記排出タンク内の被処理物を前記第３区画に設けた排出ホッパ内に移送し、当該排出ホッパ内に被処理物を圧縮手段により圧縮充填し、前記第３区画の搬出口の扉を閉じ、当該第３区画内の減圧を解除すると共に前記排出ホッパ内の被処理物を当該第３区画の排出口の扉を開けて当該排出口から外部に排出し、
前記被処理物の投入から被処理物の排出までの各区画の一連の処理中、前記第２区画を常時減圧状態にし、
前記第１区画の受入ホッパ内の被処理物を前記第２区画の投入タンクへ移送したら前記第２区画の内部投入口を閉じ、次に第１区画の減圧を解き、前記被処理物投入口を開けて新たな被処理物を前記受入ホッパ内に投入し、
また、前記第２区画の投入タンク内の被処理物を前記減圧無酸素熱分解処理機へ移送したら前記第１区画の被処理物投入口の扉を閉じて当該第１区画を減圧し、次に第２区画の前記内部投入口を開けて前記第１区画の受入ホッパから新たな被処理物を前記第２区画の投入タンク内に投入し、前記第１区画、第２区画及び第３区画の各処理を連続して行うことを特徴とする、減圧無酸素熱分解処理機の連続処理方法。
【請求項２】
箱体の内部を、夫々減圧自在な第１区画、第２区画及び第３区画に分け、前記第２区画には、長筒状で、回転駆動自在な、内側に螺旋溝を設けた坩堝を有し、両端に開閉自在な扉を設けた減圧無酸素熱分解処理機を設置し、
前記第１区画において、外側面に設けた被処理物投入口に一端を接続し、他端を前記第１区画と第２区画の間の第１隔壁に設けた内部投入口に接続した一定長の受入管を設け、当該受入管の途中から一定幅を有する有底な管を設けて受入ホッパを形成し、当該受入ホッパは内部の被処理物を移送する手段を設け、
前記第２区画において、前記第１隔壁の内部投入口に、有底な管の開口した一端を接続して投入タンクを形成し、当該投入タンクは内部の被処理物を移送する手段を設け、当該投入タンクの一端付近から別途管を延ばして前記減圧無酸素熱分解処理機の一端に接続し、
当該減圧無酸素熱分解処理機の他端付近から管を延ばして、別途設けた有底な管の開口した一端付近に接続し、
前記有底な管の開口した一端を前記第２区画と第３区画の間の第２隔壁に設けた搬出口に接続し、当該管は内部の被処理物を移送する手段を設けた排出タンクを形成し、
前記第３区画において、前記第２隔壁の搬出口に一端を接続し、他端を第３区画の外側面に設けた排出口に接続した一定長の排出管を設け、
当該排出管の途中から一定幅を有する有底の管を設けて、当該管は内部の被処理物を移送する手段を設けた排出ホッパを形成し、前記第１区画、第２区画及び第３区画を減圧又は真空にする手段を設けたことを特徴とする、前記請求項１に記載の減圧無酸素熱分解処理機の連続処理方法において使用するユニット式装置。
【請求項３】
被処理物を密封状態で移送する被処理物投入口及び第１隔壁の内部投入口に被処理物の通過量を感知するセンサを夫々設け、前記第１区画に設置した受入ホッパの移送手段と前記第２区画の投入タンクの移送手段とが連動して作動するように構成したことを特徴とする、前記請求項２に記載のユニット式装置。
【請求項４】
前記減圧又は真空手段によって前記第２区画に設けた投入タンク内を当該第２区画内と同等以下の減圧状態にし、前記投入タンクの内部に電熱ヒータを挿入して被処理物を加熱処理する構成としたことを特徴とする、前記請求項２又は３に記載のユニット式装置。
【請求項５】
前記ユニット式装置と接続した冷却装置、トラップ、加熱消臭装置を夫々設け、前記減圧無酸素熱分解処理機、前記投入タンク又は前記排出ホッパの少なくとも一つから排出される排出気体は、前記冷却装置、トラップ、加熱消臭装置を経て外部に排出される構成としたことを特徴とする、前記請求項２、３又は４の何れかに記載のユニット式装置。
【請求項６】
前記加熱消臭装置は、少なくともセラミック耐熱チェッカー加熱炉及び抗菌セラミック活性炭フィルターから成り、前記排出気体はこれらを経て外部に排出される構成としたことを特徴とする、前記請求項５に記載のユニット式装置。
【請求項７】
前記抗菌セラミック活性炭フィルターは、活性炭２０％〜５０％、カオリン３０％〜６０％、木節粘土１０％〜４０％をベースにして、葉長石１％〜１０％、銀０．１％〜０．５％、チタン０．５％〜１％を混入して、無酸素状態で１０時間〜１８時間、１，０００℃〜１，２６０℃で焼成して形成したことを特徴とする、前記請求項６に記載のユニット式装置。
【発明の詳細な説明】
【技術分野】
【０００１】
この発明は、焼却灰、医療廃棄物、石綿及び汚染土壌に含まれている有害物質を、密封減圧状態の箱体の内部に設置した装置内の坩堝で熱分解して当該被処理物を無害化処理するための減圧無酸素加熱分解処理に関するもので、特に、連続処理が出来る装置を箱体内に収納した減圧無酸素熱分解処理機の連続処理方法及びその方法に使用するユニット式装置に関するものである。
【背景技術】
【０００２】
従来、焼却灰、医療廃棄物、石綿及び汚染土壌に含まれているＰＣＢやダイオキシン類等や重金属類の有害物質を除去する有害物質除去装置が種々存在する。従来既知の有害物質除去装置のうち、有害物質を含む被処理物を高温で焼成して被処理物から有害物質を気化して取り出す高温ガス化溶融炉装置や電気プラズマ溶融炉装置が、安全で確実に有害物質を除去出来、しかも周辺機器に優れた装置を装備していることが知られている。このことから、被処理物を高温で焼成する高温気化溶融炉装置が、焼却炉メーカーや自治体及び最終処理業者に関心が寄せられている。
【０００３】
ところが、従来既知の有害物質除去装置、高温ガス化溶融炉装置及び電気プラズマ溶融炉装置では、何れも有酸素状態で被処理物を加熱するため、処理中に大量の二酸化炭素が発生してその二酸化炭素を外部に放出すると言う欠点があった。また、高温ガス化溶融炉装置や電気プラズマ溶融炉装置は被処理物を高温で処理するので、炉内の耐火煉瓦等の損傷が激しく、しかも装置そのものが大型になるので、メンテナンスに手間が掛かり、これによるランニングコスト等が高くなると言う欠点があった。
【０００４】
一方、被処理物を密封減圧状態の坩堝の中で加熱処理する事で、二酸化炭素を発生しないようにした技術が特許文献１、２及び３に記載されている。この中の特許文献１は、被処理物を収容するスペースを有し、遠赤外線を発生する熱伝導率の高い素材により形成した坩堝を、支持部以外の坩堝の外周との間に間隙を有するように炉本体内に支持して設け、前記坩堝の開口部を炉本体の開口部の内側に位置させ、これらの開口部を同時に塞ぐ開閉蓋を設け、前記坩堝内を前記開閉蓋を閉めて真空状態にし、かつ被処理物を熱分解する際に発生する気体を坩堝内から導出する吸引管を設け、前記開口部から被処理物を投入及び排出すると言うものである。
【０００５】
また、前記特許文献２は、るつぼ内に被処理物を入れてるつぼ内を真空にし、当該るつぼを加熱させて被処理物を熱分解する装置において、枠体の両側で、回転炉の両側を回転自在に支持し、この回転炉の中心部の軸方向に筒状のるつぼを設け、このるつぼは被処理物を収容する中空部の内周に軸方向に螺旋溝が設けられ、このるつぼの開口両端部は前記枠体に支持された投入口部及び排出口部により塞がれ、前記回転炉内に、るつぼ内部を加熱する電熱式の加熱装置を設け、前記投入口部内及び排出口部内には夫々二重の遮断装置を設け、前記排出口部には、るつぼ内を真空状態にし、かつ被処理物を分解する際に発生する気体をるつぼ内から導出する吸引管を設け、前記回転炉を回転させる駆動装置を設けたと言うものである。
【０００６】
さらに、前記特許文献３は、有害物質を含む被処理物を収容するための坩堝と、その坩堝内を加熱して被処理物に含まれる有害物質を気化させるための加熱手段と、吸引力を発生させる吸引手段と、気化した有害物質を液化して捕集するためのものであって前記吸引手段と前記坩堝との間に備えられるもので気化した気体を液化させる冷却装置と、前記坩堝の内部と連絡して被処理物を坩堝に出し入れするための移送手段と、外部と気密的に遮断可能な状態で被処理物を前記移送手段に投入するための上方導入部材と、外部と気密的に遮断可能な状態で被処理物を前記移送手段から排出するための下方排出部材と、前記坩堝内に窒素を投入するための窒素投入手段とを有し、前記坩堝と前記冷却装置と前記吸引手段との間を閉鎖状態に連絡し、前記吸引手段による吸引力を前記冷却装置を介して前記坩堝内に及ぼすようにし、前記坩堝を中心として被処理物の投入用移送手段と排出用移送手段とを反対側に配置すると共に、前記坩堝を中心として前記投入用移送手段の反対側に前記吸引手段を配置するというものである。
【特許文献１】特公平７−３４９０２号公報
【特許文献２】特許第３２６６５９１号公報
【特許文献３】特許第４０９３４５１号公報
【発明の開示】
【発明が解決しようとする課題】
【０００７】
しかしながら、前記特許文献１では、一定時間の加熱後に被処理物を取り出すと言った作業の繰り返しで手間の掛かる作業となっていた。また、特許文献２では、被処理物を投入し、処理する毎に坩堝を開閉すると言う断続的な開閉なので坩堝内の温度が低下し、処理効率が悪いと言う欠点があった。また、被処理物を加熱して抽出した気体を吸引装置によって外部に取り出そうとしても、気体を坩堝から取り出すのに時間がかかると言う問題があった。
【０００８】
さらに、前記特許文献３は、前記真空状態の坩堝内に被処理物を投入する際の温度の低下を防ぎ、前記坩堝内に窒素を投入することで坩堝内から抽出する気体の排出の際の時間短縮が出来るが、被処理物の量が大量処理の際は、装置そのものを多数設置しなければならないと言う欠点があった。さらに、大掛かりな設備になるのでメンテナンス等に多大な費用がかかっていた。
【０００９】
この発明は、これらの点に鑑みて為されたもので、減圧無酸素熱分解処理機を設置している区画を常に減圧又は真空状態にしておくことが出来、被処理物の投入排出を連続して出来る、減圧無酸素熱分解処理機の連続処理方法及びその方法に使用するユニット式装置を提供して前記課題を解決するものである。
【課題を解決するための手段】
【００１０】
請求項１の発明は、箱体の内部を、夫々減圧自在な第１区画、第２区画及び第３区画に分け、前記第２区画には、長筒状で、回転自在な、内側に螺旋溝を設けた坩堝を有し、両端に開閉自在な扉を設けた減圧無酸素熱分解処理機を設置し、被処理物は、前記第１区画、第２区画及び第３区画内を順次移送されて処理され、前記各区画には前記移送路を開閉する扉を夫々設けたユニット式減圧無酸素熱分解処理装置において、前記第１区画、第２区画及び第３区画内の各扉を夫々閉じて前記第２区画を減圧し、前記第１区画の被処理物投入口の扉を開けて当該第１区画に設けた受入ホッパ内に外部から被処理物を投入し、当該受入ホッパ内に被処理物を圧縮手段により圧縮充填し、前記被処理物投入口の扉を閉じて当該第１区画を減圧し、前記第２区画の内部投入口の扉を開けると共に前記受入ホッパ内の被処理物を当該第２区画に設けた投入タンク内に移送する。
【００１１】
そして、前記投入タンク内に被処理物を圧縮手段により圧縮充填して、前記第２区画の内部投入口の扉を閉じ、前記減圧無酸素熱分解処理機の一方の扉を開くと共に前記投入タンク内の被処理物を前記減圧無酸素熱分解処理機内に移送し、その後、前記減圧無酸素熱分解処理機の一方の扉を閉じ、当該減圧無酸素熱分解処理機内の被処理物を減圧無酸素状態で熱分解処理し、当該被処理物を、回転する減圧無酸素熱分解処理機内の螺旋溝によって移動させて当該減圧無酸素熱分解処理機の他方の扉を開放して当該第２区画に設けた排出タンク内に移送し、当該排出タンク内に被処理物を圧縮手段により圧縮充填し、前記減圧無酸素熱分解処理機の他方の扉を閉じ、前記第３区画を減圧し、当該第３区画の搬出口の扉を開けて前記排出タンク内の被処理物を前記第３区画に設けた排出ホッパ内に移送し、当該排出ホッパ内に被処理物を圧縮手段により圧縮充填し、前記第３区画の搬出口の扉を閉じ、当該第３区画内の減圧を解除すると共に前記排出ホッパ内の被処理物を当該第３区画の排出口の扉を開けて当該排出口から外部に排出し、前記被処理物の投入から被処理物の排出までの各区画の一連の処理中、前記第２区画を常時減圧状態にし、前記第１区画の受入ホッパ内の被処理物を前記第２区画の投入タンクへ移送したら前記第２区画の内部投入口を閉じ、次に第１区画の減圧を解き、前記被処理物投入口を開けて新たな被処理物を前記受入ホッパ内に投入し、また、前記第２区画の投入タンク内の被処理物を前記減圧無酸素熱分解処理機へ移送したら前記第１区画の被処理物投入口の扉を閉じて当該第１区画を減圧し、次に第２区画の前記内部投入口を開けて前記第１区画の受入ホッパから新たな被処理物を前記第２区画の投入タンク内に投入し、前記第１区画、第２区画及び第３区画の各処理を連続して行う減圧無酸素熱分解処理機の連続処理方法とした。
【００１２】
請求項２の発明は、箱体の内部を、夫々減圧自在な第１区画、第２区画及び第３区画に分け、前記第２区画には、長筒状で、回転自在な、内側に螺旋溝を設けた坩堝を有し、両端に開閉自在な扉を設けた減圧無酸素熱分解処理機を設置し、前記第１区画において、外側面に設けた被処理物投入口に一端を接続し、他端を前記第１区画と第２区画の間の第１隔壁に設けた内部投入口に接続した一定長の受入管を設け、当該受入管の途中から一定幅を有する有底な管を設けて受入ホッパを形成し、当該受入ホッパは内部の被処理物を移送する手段を設ける。
【００１３】
そして、前記第２区画において、前記第１隔壁の内部投入口に、有底な管の開口した一端を接続して投入タンクを形成し、当該投入タンクは内部の被処理物を移送する手段を設け、当該投入タンクの一端付近から別途管を延ばして前記減圧無酸素熱分解処理機の一端に接続し、当該減圧無酸素熱分解処理機の他端付近から管を延ばして、別途設けた有底な管の開口した一端付近に接続し、前記有底な管の開口した一端を前記第２区画と第３区画の間の第２隔壁に設けた搬出口に接続し、当該管は内部の被処理物を移送する手段を設けた排出タンクを形成し、前記第３区画において、前記第２隔壁の搬出口に一端を接続し、他端を第３区画の外側面に設けた排出口に接続した一定長の排出管を設け、当該排出管の途中から一定幅を有する有底の管を設けて、当該管は内部の被処理物を移送する手段を設けた排出ホッパを形成し、前記第１区画、第２区画及び第３区画を減圧又は真空にする手段を設けた前記請求項１に記載の減圧無酸素熱分解処理機の連続処理方法において使用するユニット式装置とした。
【００１４】
請求項３の発明は、被処理物を密封状態で移送する被処理物投入口及び第１隔壁の内部投入口に被処理物の通過量を感知するセンサを夫々設け、前記第１区画に設置した受入ホッパの移送手段と前記第２区画の投入タンクの移送手段とが連動して作動するように構成した前記請求項２に記載のユニット式装置とした。
【００１５】
また、請求項４の発明は、前記減圧又は真空手段によって前記第２区画に設けた投入タンク内を当該第２区画内と同等以下の減圧状態にし、前記投入タンクの内部に電熱ヒータを挿入して被処理物を加熱処理する構成とした前記請求項２又は３に記載のユニット式装置とした。
【００１６】
請求項５の発明は、前記ユニット式装置と接続した冷却装置、トラップ、加熱消臭装置を夫々設け、前記減圧無酸素熱分解処理機、前記投入タンク又は前記排出ホッパの少なくとも一つから排出される排出気体は、前記冷却装置、トラップ、加熱消臭装置を経て外部に排出される構成とした前記請求項２、３又は４の何れかに記載のユニット式装置とした。
【００１７】
請求項６の発明は、前記加熱消臭装置は、少なくともセラミック耐熱チェッカー加熱炉及び抗菌セラミック活性炭フィルターから成り、前記排出気体はこれらを経て外部に排出される構成とした前記請求項５に記載のユニット式装置とした。
【発明の効果】
【００１８】
請求項１及び２の各発明によれば、第１区画及び第３区画を随時、減圧又は真空状態にし、又はこれを解除することにより、減圧無酸素熱分解処理機を設置している第２区画を常に減圧又は真空状態にしておくことが出来るので、被処理物の投入、処理及び排出が連続して出来るようになり、被処理物の大量な処理が出来、極めて使い勝手の良いものである。
【００１９】
また、請求項２の発明によれば、減圧無酸素熱分解処理機の連続した処理が出来る装置としてコンパクトに設けたので、装置として、必要以上に場所を取ることが無い。その結果、装置の移送や設置が容易に出来、熱分解処理装置の採用に大きく貢献するものである。
【００２０】
請求項３の発明によれば、被処理物を密封状態で搬送する被処理物投入口及び内部投入口に被処理物の通過量を感知するセンサを夫々設け、前記第１区画に設置した受入ホッパと前記第２区画の投入タンクとが連動して作動するようにしたので、受入ホッパと投入タンクが無駄無く作動出来、より合理的に熱分解処理を行うことが出来、便利である。
【００２１】
請求項４の発明によれば、前記第２区画に設けた投入タンクの内部に電熱ヒータを挿入して被処理物を加熱して前処理した後、減圧無酸素熱分解処理機で処理することとしたので、被処理物の処理がより円滑に行うことが出来、処理時間の短縮が出来る。
【００２２】
請求項５の発明によれば、前記減圧無酸素熱分解処理機等から発生する排出気体は、冷却装置で液化され、トラップにて捕集され、加熱消臭装置で処理される構成としたので、前記熱分解処理によって発生する有害な分解気化物質を安全かつ確実に捕集することが出来、安心して熱分解処理が出来るものである。
【００２３】
請求項６の発明によれば、前記加熱消臭装置は、少なくともセラミック耐熱チェッカー加熱炉及び抗菌セラミック活性炭フィルターから成り、前記排出気体はこれらを経て外部に排出されることとしたので、排出気体を無臭にすることが出来、より環境保全に適した熱分解処理が出来るものである。
【００２４】
請求項７の発明によれば、前記抗菌セラミック活性炭フィルターは、一定の成分、一定時間、一定の温度で焼成して形成したので、排出気体をよりきれいなものとすることが出来、より安心して熱分解処理が出来るものである。
【発明を実施するための最良の形態】
【００２５】
この発明は、箱体の内部を、夫々減圧自在な第１区画、第２区画及び第３区画に分け、前記第２区画には、長筒状で、回転自在な、内側に螺旋溝を設けた坩堝を有し、両端に開閉自在な扉を設けた減圧無酸素熱分解処理機を設置し、被処理物は、前記第１区画、第２区画及び第３区画内を順次移送されて処理され、前記各区画には前記移送路を開閉する扉を夫々設けたユニット式減圧無酸素熱分解処理装置において、前記第１区画、第２区画及び第３区画内の各扉を夫々閉じて前記第２区画を減圧し、前記第１区画の被処理物投入口の扉を開けて当該第１区画に設けた受入ホッパ内に外部から被処理物を投入し、当該受入ホッパ内に被処理物を充填し、前記被処理物投入口の扉を閉じて当該第１区画を減圧し、前記第２区画の内部投入口の扉を開けると共に前記受入ホッパ内の被処理物を当該第２区画に設けた投入タンク内に移送する。
【００２６】
そして、前記投入タンク内に被処理物を充填し、前記第２区画の内部投入口の扉を閉じ、前記減圧無酸素熱分解処理機の一方の扉を開くと共に前記投入タンク内の被処理物を前記減圧無酸素熱分解処理機内に移送し、その後、前記減圧無酸素熱分解処理機の一方の扉を閉じ、当該減圧無酸素熱分解処理機内の被処理物を減圧無酸素状態で熱分解処理し、当該被処理物を、回転する減圧無酸素熱分解処理機内の螺旋溝によって移動させて当該減圧無酸素熱分解処理機の他方の扉を開放して当該第２区画に設けた排出タンク内に移送し、当該排出タンク内に被処理物を充填し、前記減圧無酸素熱分解処理機の他方の扉を閉じ、前記第３区画を減圧し、当該第３区画の搬出口の扉を開けて前記排出タンク内の被処理物を前記第３区画に設けた排出ホッパ内に移送し、当該排出ホッパ内に被処理物を充填し、前記第３区画の搬出口の扉を閉じ、当該第３区画内の減圧を解除すると共に前記排出ホッパ内の被処理物を当該第３区画の排出口の扉を開けて当該排出口から外部に排出することとした。
【００２７】
これにより、第１区画及び第３区画を随時、減圧又は真空状態にし、又はこれを解除することにより、減圧無酸素熱分解処理機を設置している第２区画を常に減圧又は真空状態にしておくことが出来るので、被処理物の投入、処理及び排出が連続して出来るようになったものである。
【実施例１】
【００２８】
以下、この発明の実施例１のユニット式減圧無酸素加熱分解処理装置Ａ及び連続処理方法を図に基づいて説明する。図１は、この発明の実施例１のユニット式減圧無酸素加熱分解処理装置の一部断面正面図である。図２は、同ユニット式減圧無酸素加熱分解処理装置を収めた箱体と、冷却装置等を収納した他の箱体等を並べて配置した状態の一部断面平面図である。図３は、同ユニット式減圧無酸素加熱分解処理装置の第１区画の受入管及び受入ホッパを示す一部縦断面図である。図４は、同ユニット式減圧無酸素加熱分解処理装置の第２区画の投入タンク及び減圧無酸素加熱分解処理装置を示す一部省略断面平面図である。
【００２９】
まず、扁平な直方体形状の箱体を、図２に示すように、大小３個用意する。この中の１個の箱体２６の内部を、隔壁によって、図１及び図２に示すように、第１区画２１、第２区画２２及び第３区画２３に分け、後述する箱体２７の真空ポンプ３１によって、各区画毎に減圧乃至真空にすることが出来るようになっている。第１区画２１及び第３区画２３は、小スペースであるが、第２区画２２は大スペースとなっている。この第２区画２２の長手方向の一側には、減圧無酸素熱分解処理機１を基台２４の上に設置している。被処理物は、前記第１区画、第２区画及び第３区画内に設けた装置内を順次移送されて処理される。
【００３０】
図３に示すように、前記第１区画２１において、外側面の上部に被処理物を投入する、開閉自在な扉付の被処理物投入口２を設け、前記第１区画２１と第２区画２２の間の第１隔壁３の上部に、開閉自在な扉付の内部投入口４を設け、図１に示すように、第２区画２２と第３区画２３の間の第２隔壁５の上部に、開閉自在な扉付の搬出口６を設け、第３区画２３の外側面の上部に、開閉自在な扉付の排出口７を設けている。
【００３１】
前記第１区画２１において、図３に示すように、前記被処理物投入口２に一端を接続し、他端を内部投入口４に接続した一定長の受入管８を設ける。この受入管８の途中から下方に向けて一定幅を有する有底の管を垂下させて受入ホッパ９を設ける。この受入ホッパ９の内部には、サーボモーター（図示省略）によって正逆回転自在なスクリューコンベア９ａを備え、また、この受入ホッパ９内に充填される被処理物の量を感知するセンサ９ｂを当該受入ホッパ９内に設けている。さらに、前記受入管８において、前記受入ホッパ９の上部の開口部の前後には開閉自在な扉を設けており、前記被処理物投入口２側の扉を第１扉１０ａ、前記内部投入口４側の扉を第２扉１０ｂとする。
【００３２】
前記第２区画２２において、図４に示すように、前記第１隔壁３の上部にある内部投入口４に、有底な管の開口した一端を接続し、他端を下にして傾斜させて形成した投入タンク１１を設けている。この投入タンク１１の一端付近から、開閉自在な第３扉１２を介して別途管１３を斜め方向に延ばして前記減圧無酸素熱分解処理機１の一端に接続している。前記投入タンク１１内部には、外部のサーボモーター（図示省略）によって正逆回転自在なスクリューコンベア１１ａを設けている。
【００３３】
また、この投入タンク１１のスクリューコンベア１１ａとして、耐熱セラミックスクリューを使用し、この耐熱セラミックスクリューの内部に電熱ヒータを挿入して被処理物を加熱処理出来るようにしている（図示省略）。
【００３４】
前記減圧無酸素熱分解処理機１は、図１、４及び５に示すように、長筒状で内側に螺旋溝１ｄを設けた坩堝１ｃを有し、両端に開閉自在な扉１ａ、１ｂを設け、前記坩堝１ｃは両端で支持されて、外部のサーボモーター（図示省略）によって回転駆動自在に設けられている。ここで使用する減圧無酸素熱分解処理機１としては、前記特許文献２の特許第３２６６５９１号公報に記載された断続流動式熱分解装置及び前記特許文献３の特許第４０９３４５１号公報に記載された有害物質除去装置を基にしたものである。また、この減圧無酸素熱分解処理機１からは、熱分解処理によって発生した分解気化物質（排出気体、以下同じ）を抽出して運ぶ管（図示省略）が取出口２５まで設けられており、図２に示す様に、この取出口２５からは前記排出気体を運ぶ配管２５ａが延されて、箱体２７の冷却装置２９に接続され、その後、捕集トラップ３０を経て、箱体３３内に設けられた、前記排出気体を処理する加熱消臭装置として、排出口に抗菌セラミック活性炭フィルター２８ａを設けたセラミック耐熱チェッカー加熱炉２８と接続されている。
【００３５】
図５は、この発明の実施例１のユニット式減圧無酸素加熱分解処理装置の第２区画の減圧無酸素加熱分解処理装置及び排出タンクを示す一部省略断面平面図である。図６は、同ユニット式減圧無酸素加熱分解処理装置の第３区画の排出管及び排出ホッパを示す一部縦断面図である。
【００３６】
前記減圧無酸素熱分解処理機１の他端に、管１４の一端を接続し、この管１４の他端を、別途設けた有底な管から成る排出タンク１６の開口した一端付近に開閉自在な第４扉１５を介して接続し、この有底な管の開口した一端を第２隔壁５の上部に設けた搬出口６に接続して排出タンク１６を設ける。この排出タンク１６の内部には、外部のサーボモーター（図示省略）によって正逆回転自在なスクリューコンベア１６ａを設けている。
【００３７】
前記第３区画２３において、図６に示すように、前記第２隔壁５の搬出口６に一端を接続し、他端を第３区画２３の外側面に設けた排出口７に接続した一定長の排出管１７を設ける。この排出管１７の途中から下方に向けて一定幅を有する有底の管を垂下させて排出ホッパ１８を設ける。この排出ホッパ１８の内部には、外部のサーボモーター（図示省略）によって正逆回転自在なスクリューコンベア１８ａを備えている。
【００３８】
さらに、前記排出管１７において、前記排出ホッパ１８の上部の開口部の前後には開閉自在な扉を設けており、前記搬出口６側の扉を第５扉１９ａ、前記排出口７側の扉を第６扉１９ｂとしている。また、図２に示すように、この排出管１７からは前記排出気体を運ぶ配管２５ａが延されて、箱体２７の冷却装置２９に接続され、その後、捕集トラップ３０を経て、箱体３３内に設けられた、前記排出気体を処理する加熱消臭装置として、排出口に抗菌セラミック活性炭フィルター２８ａを設けたセラミック耐熱チェッカー加熱炉２８と接続されている。
【００３９】
前記抗菌セラミック活性炭フィルターは、活性炭２０％〜５０％、カオリン３０％〜６０％、木節粘土１０％〜４０％をベースにして、葉長石１％〜１０％、銀０．１％〜０．５％、チタン０．５％〜１％を混入して、無酸素状態で１０時間〜１８時間、１，０００℃〜１，２６０℃で焼成して形成した。
【００４０】
図２に示すように、箱体２７には、冷却装置２９、捕集トラップ３０（２連）、真空ポンプ３１（２基、冷却装置付）及び窒素発生装置３２が設置されている。箱体３３には、水冷煙道２８ｂを備え、排出口に抗菌セラミック活性炭フィルター２８ａを設けたセラミック耐熱チェッカー加熱炉２８が収められている。また、前記箱体２６、箱体３３とこの箱体２７とは配管２５ａや配線２５ｂで接続されている。これらの配管２５ａや配線２５ｂによって、前記投入タンク１１、前記減圧無酸素熱分解処理機１等と真空ポンプ３１等とが接続され、減圧又は真空制御される構成となっている。
【００４１】
次に、この実施例１のユニット式減圧無酸素加熱分解処理装置Ａを使用する手順を説明する。前記第１区画２１、第２区画２２及び第３区画２３の各口２、４、６、７、各扉１ａ、１ｂ、１０ａ、１０ｂ、１９ａ、１９ｂを夫々閉じて前記第２区画２２を真空ポンプ３１により減圧する。被処理物の処理中、第２区画内は、常時、減圧又は真空状態にある。前記第１区画２１の被処理物投入口２及び第１扉１０ａを開けて被処理物を、受入ホッパ９内に投入する。この時、処理効率を高めるためにセンサ９ｂにより受入ホッパ９の許容量まで被処理物を投入することとする。前記受入ホッパ９のスクリューコンベア９ａを正回転させて被処理物を当該受入ホッパ９内に圧縮充填する。そして、前記被処理物投入口２及び第１扉１０ａを閉じ、同時に第１区画２１内を真空ポンプ３１により減圧する。
【００４２】
そして、前記第２扉１０ｂ及び第１隔壁３の内部投入口４を開くと共に前記スクリューコンベア９ａを逆回転させて内部の被処理物を、前記投入タンク１１内に移送する。
【００４３】
前記投入タンク１１内のスクリューコンベア１１ａを回転させて被処理物を当該投入タンク１１内に圧縮充填する。その後、これらの第２扉１０ｂ及び第１隔壁３の内部投入口４を閉じ、前記第３扉１２及び前記減圧無酸素熱分解処理機１の扉１ａを開くと共に前記スクリューコンベア１１ａを逆回転させて投入タンク１１内の被処理物を、前記減圧無酸素熱分解処理機１内に移送する。そして、前記第３扉１２及び前記減圧無酸素熱分解処理機１の一方の扉１ａを閉じる。
また、前記スクリューコンベア１１ａを正逆回転させる時、投入タンク１１内を真空ポンプ３１で当該第２区画２２内と同等以下の減圧状態にし、前記投入タンク１１の耐熱セラミックスクリュー内部の電熱ヒータによって被処理物を２００℃〜４００℃に加熱して、前記減圧無酸素熱分解処理機１における処理の前処理を行う。
【００４４】
前記減圧無酸素熱分解処理機１内の被処理物を減圧無酸素状態で熱分解処理し、当該被処理物（灰など）を、減圧無酸素熱分解処理機１を回転させて当該減圧無酸素熱分解処理機１内の螺旋溝１ｄによって先端まで移送する。
【００４５】
前記減圧無酸素熱分解処理機１で被処理物を処理することにより発生した分解気化物質及び前記投入タンク１１の加熱処理によって発生した分解気化物質は、箱体２７の冷却装置２９で液化され、捕集トラップ３０にて捕集された後、箱体３３の前記セラミック耐熱チェッカー加熱炉２８に送られて電熱又は石油バーナーによって８００℃〜１，１００℃に加熱処理される。
【００４６】
そして、この減圧無酸素熱分解処理機１の他方の扉１ｂ及び第４扉１５を開放して前記排出タンク１６内に被処理物（灰など）を移送する。その際、当該排出タンク１６のスクリューコンベア１６ａを回転させて被処理物を当該排出タンク１６内に圧縮充填する。
【００４７】
その後、前記他方の扉１ｂ及び第４扉１５を閉じて、第３区画２３を真空ポンプ３１により減圧し、第２隔壁５に設けた搬出口６及び第５扉１９ａを開くと共に前記スクリューコンベア１６ａを逆回転させて排出タンク１６内部の被処理物を前記排出ホッパ１８内に移送する。
【００４８】
続いて、この排出ホッパ１８のスクリューコンベア１８ａを回転させて被処理物をこの排出ホッパ１８内に圧縮充填し、その後、当該搬出口６及び第５扉１９ａを閉じ、当該第３区画２３の減圧を解除する。第３区画２３の外側面の排出口７及び第６扉１９ｂを開くと共に前記スクリューコンベア１８ａを逆回転させて排出ホッパ１８内の被処理物を前記排出口７から装置Ａ外に排出する。
【００４９】
この時、排出ホッパ１８から排出される排出気体を配管２５ａを通して箱体２７の冷却装置２９等に運び、当該冷却装置２９で液化し、捕集トラップ３０にて捕集した後、箱体３３のセラミック耐熱チェッカー加熱炉２８に送り、ここで炉内温度を８００℃〜１，１００℃に設定し、排出気体を水冷煙道２８ｂ内を通して冷却し、その後、前記抗菌セラミック活性炭フィルター２８ａを通してクリーンなものとして外部に排出することが出来る。
【００５０】
この様に、この発明の実施例１では、第１区画及び第３区画を随時、減圧又は真空状態にし、又はこれを解除することにより、減圧無酸素熱分解処理機を設置している第２区画を常に減圧又は真空状態にしておくことが出来るので、被処理物の連続した処理が可能となり、被処理物の大量な処理が出来るようになったものである。
【００５１】
前記実施例１において、受入ホッパ９内に充填される被処理物の量を感知するセンサ９ｂを当該受入ホッパ９内に設けているが、被処理物投入口２及び内部投入口４に被処理物の通過量を感知するセンサを夫々設けて、前記第１区画２１に設置した受入ホッパ９と前記第２区画２２の投入タンク１１とが連動して作動し、被処理物が滞り無く、円滑に移行出来るようにすることが出来る。
【００５２】
すなわち、被処理物が前記第２区画２２の投入タンク１１に移行し、第２扉１０ｂ及び第１隔壁の内部投入口４を閉じた際、第１区画２１の減圧を解き、被処理物投入口２を開放し、当該第１区画の中に新たな被処理物を投入する。そして、受入ホッパ９内に被処理物を充填後、再び第１区画２１を減圧し、第２区画２２の投入タンク１１に被処理物がなくなった後、第２区画２２の投入タンク１１に被処理物を移行させると言う様に、処理を行う各過程において連携した連続処理を行うことにより、被処理物の処理を極めて円滑に、かつ短時間で行うことが出来る。また、搬出口６及び排出口７においても同様にセンサを設けることにより、前記第２区画２２に設置した排出タンク１６と前記第３区画２３の排出ホッパ１８とを連動して作動させ、同様の効果を奏することが出来る。
【００５３】
また、第１区画２１、第２区画２２及び第３区画２３を真空ポンプ３１により減圧状態又は真空状態にしているが、減圧か真空かはその時々によって、都合のよい方を選択すれば良い。また、前記実施例１では、箱体２６、２７、３３を用いているが、実施例１のユニット式減圧無酸素加熱分解処理装置Ａとしては、少なくとも箱体２６、１個あれば良く、他の箱体２７、３３についてはその時々で必要な装置等を収納設置すれば良い。
【００５４】
また、受入ホッパ９、投入タンク１１、排出タンク１６及び排出ホッパ１８を密封するのに各扉１０ａ、１０ｂ、１２、１５、１９ａ、１９ｂを夫々用いているが、これらの各扉は必ずしも必要と言うものでは無く、処理過程における減圧又は減圧解除をより効果的に行うことを目的としたものである。前記各装置を密封する構成は、本願発明が効果を奏することが出来るものであるならば、他の構成のものでも良い
【００５５】
また、受入ホッパ９、投入タンク１１、排出タンク１６及び排出ホッパ１８等の動力として、外部のサーボモーターを使用しているが、動力としては、これに限らず、もちろん他のものでも良い。さらに、受入ホッパ９、投入タンク１１、排出タンク１６及び排出ホッパ１８において、正逆回転自在なスクリューコンベア９ａ、１１ａ、１６ａ、１８ａを使用したが、これらのスクリューコンベアに換えて、前記ホッパやタンクを形成する管の内周面に螺旋溝を設け、これらの管自体を回転させるようにすることも出来る。また、前記抗菌セラミック活性炭フィルターとして、具体的な構成を記載しているが、これらの構成に限定するものでは無い。
【図面の簡単な説明】
【００５６】
【図１】この発明の実施例１のユニット式減圧無酸素加熱分解処理装置の一部断面正面図である。
【図２】この発明の実施例１のユニット式減圧無酸素加熱分解処理装置を収めた箱体と、冷却装置等を収納した他の箱体等を並べて配置した状態の一部断面平面図である。
【図３】この発明の実施例１のユニット式減圧無酸素加熱分解処理装置の第１区画の受入管及び受入ホッパを示す一部縦断面図である。
【図４】この発明の実施例１のユニット式減圧無酸素加熱分解処理装置の第２区画の投入タンク及び減圧無酸素加熱分解処理装置を示す一部省略断面平面図である。
【図５】この発明の実施例１のユニット式減圧無酸素加熱分解処理装置の第２区画の減圧無酸素加熱分解処理装置及び排出タンクを示す一部省略断面平面図である。
【図６】この発明の実施例１のユニット式減圧無酸素加熱分解処理装置の第３区画の排出管及び排出ホッパを示す一部縦断面図である。
【符号の説明】
【００５７】
Ａ    ユニット式減圧無酸素加熱分解処理装置
１    減圧無酸素加熱分解処理装置                ２    被処理物投入口
３    第１隔壁          ４    内部投入口        ５    第２隔壁
６    搬出口            ７    排出口            ８    受入管
９    受入ホッパ        ９ａ  スクリューコンベア
１１    投入タンク      １１ａ  スクリューコンベア
１２    第３扉          １３    管              １４    管
１５    第４扉          １６    排出タンク    
１６ａ  スクリューコンベア                      １７    排出管
１８    排出ホッパ      ２１    第１区画        ２２    第２区画
２３    第３区画        ２４    基台            ２５    取出口
２５ａ  配管            ２５ｂ  配線            ２６    箱体
２７    箱体            ２８    セラミック耐熱チェッカー加熱炉
２８ａ  抗菌セラミック活性炭フィルター
２８ｂ  水冷煙道        ２９    冷却装置        ３０    捕集トラップ
３１    真空ポンプ      ３２    窒素発生装置    ３３    箱体
【図１】
0005519240.tif 000002
【図２】
0005519240.tif 000003
【図３】
0005519240.tif 000004
【図４】
0005519240.tif 000005
【図５】
0005519240.tif 000006
【図６】
0005519240.tif 000007